(57)【要約】【課題】複数の画像の中から必要な画像を好適に表示することが可能な画像表示装置を提供する。【解決手段】画像表示装置１において、表示部１０は、ＧＵＩを用いたユーザの操作に基づいて入力データを生成するタッチパネル式ディスプレイであり、データ取得部２１は、ＧＵＩを用いたユーザの表示部１０の操作に基づいて入力データを取得し、画像データ記憶部２２は、ＧＵＩを用いて操作可能なＧＵＩ画像を表示部１０に表示するための複数のＧＵＩ画像データ２１ａ１，２１ａ２と、ＧＵＩを用いて操作不能な非ＧＵＩ画像を表示部１０に表示するための非ＧＵＩ画像データ２２ｂと、を記憶しており、データ出力部２３は、ＧＵＩ画像データ２２ａ１，２２ａ２の一方を出力した状態で、データ取得部２１が第一の所定時間入力データを取得しない場合に、非ＧＵＩ画像データ２２ｂを第二の所定時間出力した後、ＧＵＩ画像データ２２ａ１，２２ａ２の他方を出力する。【選択図】図１
2010061214.tif 000002
【特許請求の範囲】
【請求項１】
ユーザの操作に基づいて、入力データを取得するデータ取得部と、
複数の画像データを記憶する画像データ記憶部と、
前記画像データを出力するデータ出力部と、
出力された前記画像データに基づいて画像を表示する表示部と、
を備えた画像表示装置であって、
前記表示部は、ＧＵＩを用いたユーザの操作に基づいて前記入力データを生成するタッチパネル式ディスプレイであり、
前記データ取得部は、前記タッチパネル式ディスプレイによって生成された前記入力データを取得し、
前記画像データ記憶部は、
ＧＵＩを用いて操作可能なＧＵＩ画像を前記表示部に表示するための複数のＧＵＩ画像データと、
ＧＵＩを用いて操作不能な非ＧＵＩ画像を前記表示部に表示するための非ＧＵＩ画像データと、
を記憶しており、
前記データ出力部は、一の前記ＧＵＩ画像データを出力した状態で、前記データ取得部が第一の所定時間入力データを取得しない場合に、前記非ＧＵＩ画像データを第二の所定時間出力した後、他の前記ＧＵＩ画像データを出力する
ことを特徴とする画像表示装置。
【請求項２】
前記非ＧＵＩ画像データは、前記複数のＧＵＩ画像データ間の遷移を通知する遷移通知画像を前記表示部に表示するための遷移通知データである
ことを特徴とする請求項１に記載の画像表示装置。
【請求項３】
前記複数のＧＵＩ画像データは、それぞれ異なる言語で同一内容を表示するためのデータである
ことを特徴とする請求項１又は請求項２に記載の画像表示装置。
【請求項４】
前記複数のＧＵＩ画像データは、それぞれ同一言語で異なる内容を表示するためのデータである
ことを特徴とする請求項１又は請求項２に記載の画像表示装置。
【請求項５】
ユーザの操作に基づいて、入力データを取得するデータ取得部と、複数の画像データを記憶する画像データ記憶部と、前記画像データを出力するデータ出力部と、出力された前記画像データに基づいて画像を表示する表示部と、を備え、
前記表示部は、ＧＵＩを用いたユーザの操作に基づいて前記入力データを生成するタッチパネル式ディスプレイであり、
前記データ取得部は、前記タッチパネル式ディスプレイによって生成された前記入力データを取得し、
前記画像データ記憶部は、ＧＵＩを用いて操作可能なＧＵＩ画像を前記表示部に表示するための複数のＧＵＩ画像データと、ＧＵＩを用いて操作不能な非ＧＵＩ画像を前記表示部に表示するための非ＧＵＩ画像データと、を記憶している画像表示装置の画像表示方法であって、
前記データ出力部が、一の前記ＧＵＩ画像データを出力するステップと、
前記データ取得部が第一の所定時間入力データを取得しない場合に、前記データ出力部が、前記非ＧＵＩ画像データを第二の所定時間出力するステップと、
前記第二の所定時間の経過後、前記データ出力部が、他の前記ＧＵＩ画像データを出力するステップと、
を含むことを特徴とする画像表示方法。
【請求項６】
前記非ＧＵＩ画像データは、前記複数のＧＵＩ画像データ間の遷移を通知する遷移通知画像を前記表示部に表示するための遷移通知データである
ことを特徴とする請求項５に記載の画像表示方法。
【請求項７】
前記複数のＧＵＩ画像データは、それぞれ異なる言語で同一内容を表示するためのデータである
ことを特徴とする請求項５又は請求項６に記載の画像表示方法。
【請求項８】
前記複数のＧＵＩ画像データは、それぞれ同一言語で異なる内容を表示するためのデータである
ことを特徴とする請求項５又は請求項６に記載の画像表示方法。
【発明の詳細な説明】
【技術分野】
【０００１】
本発明は、画像表示装置及び画像表示方法に関する。
【背景技術】
【０００２】
ＡＴＭ等に適用される画像表示装置において、外国人による利用のために、複数の言語による操作用画像を表示することが行われている。例えば、特許文献１〜３には、キャッシュカードに予め当該キャッシュカードの利用者の母国語に対応する言語情報が記憶されており、当該言語情報に対応した操作用画像を表示する技術が開示されている。
【０００３】
【特許文献１】特開平０６−０２８３７１号公報
【特許文献２】特開平０９−２０４５０２号公報
【特許文献３】特開２００１−３５１１４９号公報
【発明の開示】
【発明が解決しようとする課題】
【０００４】
しかしながら、特許文献１〜３の技術では、キャッシュカードに言語情報が記憶されていない場合や、ＡＴＭがキャッシュカードの言語情報を読み取る前には、言語情報に対応した操作用画像を表示することができないという問題があった。このような問題点を解消するため、複数の画像の中から一の画像を選択して表示する必要がある場合において、言語情報等の一の画像を選択するための情報が予め存在しない場合に好適に対応することが可能な技術が望まれている。
【０００５】
本発明は、前記した要望を鑑みて創案されたものであり、複数の画像の中から必要な画像を好適に表示することが可能な画像表示装置及び画像表示方法を提供することを課題とする。
【課題を解決するための手段】
【０００６】
前記課題を解決するため、本発明の画像表示装置は、ユーザの操作に基づいて、入力データを取得するデータ取得部と、複数の画像データを記憶する画像データ記憶部と、前記画像データを出力するデータ出力部と、前記画像データに基づいて画像を表示する表示部と、を備えた画像表示装置であって、前記表示部は、ＧＵＩを用いたユーザの操作に基づいて前記入力データを生成するタッチパネル式ディスプレイであり、前記データ取得部は、前記タッチパネル式ディスプレイによって生成された前記入力データを取得し、前記画像データ記憶部は、ＧＵＩを用いて操作可能なＧＵＩ画像を前記表示部に表示するための複数のＧＵＩ画像データと、ＧＵＩを用いて操作不能な非ＧＵＩ画像を前記表示部に表示するための非ＧＵＩ画像データと、を記憶しており、前記データ出力部は、一の前記ＧＵＩ画像データを出力した状態で、前記データ取得部が第一の所定時間入力データを取得しない場合に、前記非ＧＵＩ画像データを第二の所定時間出力した後、他の前記ＧＵＩ画像データを出力することを特徴とする。
【０００７】
また、前記課題を解決するため、本発明の画像表示方法は、ユーザの操作に基づいて、入力データを取得するデータ取得部と、複数の画像データを記憶する画像データ記憶部と、前記画像データを出力するデータ出力部と、前記画像データに基づいて画像を表示する表示部と、を備え、前記表示部は、ＧＵＩを用いたユーザの操作に基づいて前記入力データを生成するタッチパネル式ディスプレイであり、前記データ取得部は、前記タッチパネル式ディスプレイによって生成された前記入力データを取得し、前記画像データ記憶部は、ＧＵＩを用いて操作可能なＧＵＩ画像を前記表示部に表示するための複数のＧＵＩ画像データと、ＧＵＩを用いて操作不能な非ＧＵＩ画像を前記表示部に表示するための非ＧＵＩ画像データと、を記憶している画像表示装置の画像表示方法であって、前記データ出力部が、一の前記ＧＵＩ画像データを出力するステップと、前記データ取得部が第一の所定時間入力データを取得しない場合に、前記データ出力部が、前記非ＧＵＩ画像データを第二の所定時間出力するステップと、前記第二の所定時間の経過後、前記データ出力部が、他の前記ＧＵＩ画像データを出力するステップと、を含むことを特徴とする。
【０００８】
かかる構成によると、ユーザの操作がない場合であっても複数の画像を好適に表示することができる。また、一のＧＵＩ画像と他のＧＵＩ画像との切替に際してＧＵＩ操作不能な非ＧＵＩ画像を表示するので、画像切替時にユーザが操作して意図しない操作が行われてしまうことを防ぐことができる。
【０００９】
前記非ＧＵＩ画像データは、前記複数のＧＵＩ画像データ間の遷移を通知する遷移通知画像を前記表示部に表示するための遷移通知データとすることができる。また、前記複数のＧＵＩ画像データは、それぞれ異なる言語で同一内容を表示するためのデータであってもよく、それぞれ同一言語で異なる内容を表示するためのデータであってもよい。
【発明の効果】
【００１０】
本発明によれば、ユーザの操作がない場合であっても複数の画像の中から必要な画像を好適に表示することができる。
【発明を実施するための最良の形態】
【００１１】
以下、本発明の実施形態について、本発明をＡＴＭ（Automatic Tellers Machine）に適用した場合を例にとり、適宜図面を参照しながら説明する。同様の部分には同一符号を付し、重複する説明を省略する。
【００１２】
＜第一の実施形態＞
まず、本発明の第一の実施形態に係る画像表示装置及び画像表示方法について説明する。図１は、本発明の第一の実施形態に係る画像表示装置を示すブロック図である。図２は、本発明の第一の実施形態に係る画像を示す図である。図３は、本発明の第一の実施形態に係る画像表示方法を説明するフローチャートである。
【００１３】
図１に示すように、本発明の第一の実施形態に係る画像表示装置１は、表示部１０と、制御部２０と、キャッシュカードを読み取り、読み取ったデータを制御部２０に出力するカードリーダ３０と、紙幣を入金／出金する紙幣入出金機４０と、制御部２０から出力されたデータに基づいてレシートを印字して送出するレシート印字機５０と、を主に備えている。
【００１４】
表示部１０は、ＧＵＩ（Graphical User Interface）操作可能なタッチパネル式ディスプレイであり、制御部２０から出力された画像データを用いて、画像を表示する。また表示部１０は、ＧＵＩを用いたユーザのタッチ操作に基づいて入力データを生成する。生成された入力データは、制御部２０に出力される。
【００１５】
制御部２０は、例えば、ＣＰＵ（Central Processing Unit）、ＲＡＭ（Random Access Memory）、ＲＯＭ（Read-Only Memory）、ＨＤＤ（Hard Disk Drive）、入出力回路等を備えて構成されており、機能部として、データ取得部２１と、画像データ記憶部２２と、データ出力部２３と、を備えている。
【００１６】
データ取得部２１は、ＧＵＩを用いたユーザの表示部１０のタッチ操作に基づいて入力データを取得する。取得された入力データは、データ出力部２３に出力される。
【００１７】
画像データ記憶部２２は、複数のＧＵＩ画像データ２２ａ１，２２ａ２と、遷移通知データ２２ｂと、を予め記憶している。なお、本実施形態では、説明の簡略化のために２つのＧＵＩ画像データ２２ａ１，２２ａ２としているが、３以上のＧＵＩ画像データ２２ａ１，２２ａ２，２２ａ３，・・・を備える構成であってもよい。
【００１８】
ＧＵＩ画像データ２２ａ１，２２ａ２は、異なる言語で同一内容を表示するためのデータであり、ＧＵＩを用いて操作可能なＧＵＩ画像を表示部１０に表示するためのデータである。本実施形態では、日本語及び英語の二言語を例にとって説明するが、その他韓国語、中国語、スペイン語、ポルトガル語、ロシア語等によるＧＵＩ画像データを使用することもできる。
【００１９】
日本語ＧＵＩ画像データ２２ａ１は、日本語によって取引をユーザに選択させるためのデータである。図２（ａ）は、日本語ＧＵＩ画像データによる日本語表示画像を示す図であり、日本語表示画像６０は、取引選択ボタン６１〜６５と、画像変更選択ボタン６６と、を含んでいる。取引選択ボタン６１は引き出し、取引選択ボタン６２は預け入れ、取引選択ボタン６３は通帳記入、取引選択ボタン６４は残高照会、取引選択ボタン６５は振込にそれぞれ対応している。画像変更選択ボタン６６は、表示画像を日本語表示画像６０から英語表示画像７０へと変更するためのボタンである。
【００２０】
また、英語ＧＵＩ画像データ２２ａ２は、英語によって取引をユーザに選択させるためのデータである。図２（ｂ）は、英語ＧＵＩ画像データによる英語表示画像を示す図であり、英語表示画像７０は、取引選択ボタン７１〜７５と、画像変更選択ボタン７６と、を含んでいる。取引選択ボタン７１〜７５は、それぞれ取引選択ボタン６１〜６５と同一内容を英語で表示している。画像変更選択ボタン７６は、表示画像を英語表示画像７０から日本語表示画像６０へと変更するためのボタンである。
【００２１】
遷移通知データ２２ｂは、画像表示が日本語表示画像６０と英語表示画像７０との間を遷移する旨をユーザに通知する遷移通知画像を表示部１０に表示するためのデータである。図２（ｃ）は、遷移通知データによる遷移通知画像を示す図であり、遷移通知画像８０は、ＧＵＩを用いて操作不能な画像であり、日本語及び英語の両方で、画像が遷移する旨を通知する内容を示している。なお、ＧＵＩ画像データとして、３以上の言語に対応する画像データが用いられる場合には、遷移通知画像は、全ての言語で画像が遷移する旨を通知する内容を示すことが望ましい。
【００２２】
データ出力部２３は、日本語ＧＵＩ画像データ２２ａ１及び英語ＧＵＩ画像データ２２ａ２の一方を表示部１０に出力した状態で、データ取得部２１が第一の所定時間入力データを取得しない場合に、遷移通知データ２２ｂを第二の所定時間表示部１０に出力した後、日本語ＧＵＩ画像データ２２ａ１及び英語ＧＵＩ画像データ２２ａ２の他方を表示部１０に出力する。
【００２３】
続いて、本発明の第一の実施形態に係る画像表示方法について、図３を参照して説明する（適宜図１，２を参照）。まず、初期状態として、データ出力部２３が、画像データ記憶部２２から日本語ＧＵＩ画像データ２２ａ１を読み出して表示部１０に出力し、表示部１０が、日本語表示画像６０を表示する（ステップＳ１）。
【００２４】
続いて、データ取得部２１がＧＵＩを用いたユーザの表示部１０の操作に基づいた入力データを取得せず（ステップＳ２でＮｏ）、入力データがないまま第一の所定時間（例えば、１０秒）が経過した場合には（ステップＳ３でＹｅｓ）、データ出力部２３が、画像データ記憶部２２から遷移通知データ２２ｂを読み出して表示部１０に出力し、表示部１０が、遷移通知画像８０を第二の所定時間（例えば、２秒）だけ表示する（ステップＳ４）。
【００２５】
続いて、第二の所定時間経過後、データ出力部２３が、画像データ記憶部２２から英語ＧＵＩ画像データ２２ａ２を読み出して表示部１０に出力し、表示部１０が、英語表示画像７０を表示する。これによって、表示画像が切り替えられる（ステップＳ５）。その後、ステップＳ２に移行し、英語表示画像７０を表示した状態において、同様のステップを繰り返す。
【００２６】
また、データ取得部２１がＧＵＩを用いたユーザの表示部１０の操作に基づいた入力データを取得し（ステップＳ２でＹｅｓ）、それが画像変更選択である場合（ここでは、画像変更選択ボタン６６の操作）には（ステップＳ６でＹｅｓ）、データ出力部２３が、画像データ記憶部２２から英語ＧＵＩ画像データ２２ａ２を読み出して表示部１０に出力し、表示部１０が、英語表示画像７０を表示する。これによって、表示画像が切り替えられる（ステップＳ５）。
【００２７】
また、データ取得部２１がＧＵＩを用いたユーザの表示部１０の操作に基づいた入力データを取得し（ステップＳ２でＹｅｓ）、それが画像変更選択ではない場合（ここでは、取引選択ボタン６１〜６５の操作）には（ステップＳ６でＮｏ）、本方法は終了し、データ出力部２３が、画像データ記憶部２２から取引選択ボタン６１〜６５の操作に対応する画像データを読み出して表示部１０に出力し、表示部１０が、当該画像データに対応する画像を表示する。
【００２８】
本発明の第一の実施形態に係る画像表示装置１及び画像表示方法によれば、ユーザの操作がない場合であっても日本語表示画像６０及び英語表示画像７０を順次表示するので、画像変更選択ボタン６６の存在に気付かない外国人ユーザに対しても英語表示画像７０を好適に表示することができる。
また、日本語表示画像６０と英語表示画像７０との切替に際してＧＵＩ操作不能な遷移通知画像８０を表示するので、画像切替時にユーザが操作して意図しない操作が行われてしまい、意図しない言語の次画像に進んでしまうことを防ぐことができる。
【００２９】
＜第二の実施形態＞
続いて、本発明の第二の実施形態に係る画像表示装置について、第一の実施形態にかかる画像表示装置１との相違点を中心に説明する。図４は、本発明の第二の実施形態に係る画像表示装置を示すブロック図である。図５は、本発明の第二の実施形態に係る画像を示す図である。
【００３０】
図４に示すように、本発明の第二の実施形態に係る画像表示装置１の制御部２０の画像データ記憶部２２は、複数のＧＵＩ画像データ２２ａ１，２２ａ２及び遷移通知データ２２ｂに代えて、第一のＧＵＩ画像データ２２ｃ１と、第二のＧＵＩ画像データ２２ｃ２と、遷移通知データ２２ｄと、を予め記憶している。
【００３１】
第一のＧＵＩ画像データ２２ｃ１及び第二のＧＵＩ画像データ２２ｃ２は、同一言語で異なる内容を表示するためのデータであり、ＧＵＩを用いて操作可能なＧＵＩ画像を表示部１０に表示するためのデータである。
【００３２】
第一のＧＵＩ画像データ２２ｃ１は、第一群の取引をユーザに選択させるためのデータである。図５（ａ）は、第一のＧＵＩ画像データによる第一の表示画像を示す図であり、第一の表示画像９０は、取引選択ボタン９１〜９３と、画像変更選択ボタン９４と、を含んでいる。取引選択ボタン９１は引き出し、取引選択ボタン９２は預け入れ、取引選択ボタン９３は通帳記入にそれぞれ対応している。画像変更選択ボタン９４は、表示画像を第一の表示画像９０から第二の表示画像１００へと変更するためのボタンである。
【００３３】
また、第二のＧＵＩ画像データ２２ｃ２は、第二群の取引をユーザに選択させるためのデータである。図５（ｂ）は、第二のＧＵＩ画像データによる第二の表示画像を示す図であり、第二の表示画像１００は、取引選択ボタン１０１，１０２と、画像変更選択ボタン１０３と、を含んでいる。取引選択ボタン１０１は残高照会、取引選択ボタン１０２は振込にそれぞれ対応している。画像変更選択ボタン１０３は、表示画像を第二の表示画像１００から第一の表示画像９０へと変更するためのボタンである。
【００３４】
遷移通知データ２２ｄは、画像表示が第一の表示画像９０と第二の表示画像１００の間を遷移する旨をユーザに通知する遷移通知画像を表示部１０に表示するためのデータである。図５（ｃ）は、遷移通知データによる遷移通知画像を示す図であり、遷移通知画像１１０は、ＧＵＩを用いて操作不能な画像であり、日本語で、画像が遷移する旨を通知する内容を示している。
【００３５】
本発明の第二の実施形態に係る画像表示方法は、第一の実施形態に係る画像表示方法における各データ２２ａ１，２２ａ２，２２ｂを各データ２２ｃ１，２２ｃ２，２２ｄに置き換える等によって実施可能であるので、ここでは詳しい説明を省略する。
【００３６】
本発明の第二の実施形態に係る画像表示装置１及び画像表示方法によれば、ユーザの操作がない場合であっても第一の表示画像９０及び第二の表示画像１００を順次表示するので、画像変更選択ボタン９４の存在に気付かないユーザに対しても第二の表示画像１００を好適に表示することができる。
また、第一の表示画像９０と第二の表示画像１００との切替に際してＧＵＩ操作不能な遷移通知画像１１０を表示するので、画像切替時にユーザが操作して意図しない操作が行われてしまい、意図しない次画像に進んでしまうことを防ぐことができる。
【００３７】
以上、本発明の実施形態について説明したが、本発明は前記実施形態に限定されず、本発明の要旨を逸脱しない範囲で適宜設計変更可能である。
例えば、第二の実施形態に係る画像表示装置１の制御部２０の画像データ記憶部２２は、振込の支店名を各群から選択させるための複数のＧＵＩ画像データを記憶する構成であってもよい。
また、遷移通知データ２２ｂ，２２ｄは、画像の遷移を通知せず、単にＧＵＩ操作不能な非ＧＵＩ画像を表示部１０に表示するための非ＧＵＩ画像データであってもよい。
また、本発明は、ＡＴＭ以外の画像表示装置及び画像表示方法にも適用可能である。
【００３８】
また、変形例として、ＧＵＩ画像を用いたタッチパネル式ディスプレイではなく、ボタン（機械式の押ボタン等）と、当該ボタンの機能を表示するディスプレイと、を備える構成とすることもできる。
この場合には、ディスプレイには、例えば、日本語でボタンの機能を表示する日本語表示画像と、英語でボタンの機能を表示する英語表示画像と、が順次表示される。詳細には、日本語表示画像が表示された状態において、ユーザによるボタンの操作が第一の所定時間ない場合に、他の画像が第二の所定時間表示され、その後英語表示画像が表示される。
【００３９】
すなわち、変形例に係る画像表示装置は、ユーザの操作に基づいて、入力データを取得するデータ取得部と、複数の画像データを記憶する画像データ記憶部と、前記画像データを出力するデータ出力部と、出力された前記画像データに基づいて画像を表示する表示部と、前記表示部に隣接して設けられたボタンと、を備えた画像表示装置であって、前記データ取得部は、前記ボタンのユーザの操作によって生成された前記入力データを取得し、前記画像データ記憶部は、前記ボタンの機能を前記表示部に表示するための複数の機能表示用画像データと、他画像を前記表示部に表示するための他画像データと、を記憶しており、前記データ出力部は、一の前記機能表示用画像データを出力した状態で、前記データ取得部が第一の所定時間入力データを取得しない場合に、前記他画像データを第二の所定時間出力した後、他の前記機能表示用画像データを出力し、前記データ取得部は、前記複数の機能表示用画像データのいずれかが表示された間に取得した前記入力データを有効とし、前記他画像データが表示された前記第二の所定時間内に取得した前記入力データを無効とすることを特徴とする。
【００４０】
また、変形例に係る画像表示方法は、ユーザの操作に基づいて、入力データを取得するデータ取得部と、複数の画像データを記憶する画像データ記憶部と、前記画像データを出力するデータ出力部と、出力された前記画像データに基づいて画像を表示する表示部と、前記表示部に隣接して設けられたボタンと、を備え、前記データ取得部は、前記ボタンのユーザの操作によって生成された前記入力データを取得し、前記画像データ記憶部は、前記ボタンの機能を前記表示部に表示するための複数の機能表示用画像データと、他画像を前記表示部に表示するための他画像データと、を記憶している画像表示装置の画像表示方法であって、前記データ出力部が、一の前記機能表示用画像データを出力するステップと、前記データ取得部が第一の所定時間入力データを取得しない場合に、前記データ出力部が、前記他画像データを第二の所定時間出力するステップと、前記第二の所定時間経過後、前記データ出力部が、他の前記機能表示用画像データを出力するステップと、を含み、前記データ取得部は、前記複数の機能表示用画像データのいずれかが表示された間に取得した前記入力データを有効とし、前記他画像データが表示された前記第二の所定時間内に取得した前記入力データを無効とすることを特徴とする。
【００４１】
前記他画像データは、前記複数の機能表示用データ間の遷移を通知する遷移通知画像を前記表示部に表示するための遷移通知データとすることができる。また、他画像データは、前記表示部に何も表示させない（黒い画像を表示する）ためのデータとすることもできる。また、前記複数の機能表示用画像データは、それぞれ異なる言語で同一内容を表示するためのデータであってもよく、それぞれ同一言語で異なる内容を表示するためのデータであってもよい。
【００４２】
また、本発明の実施形態と変形例とを組み合わせて、例えば、各実施形態のうち、画像変更選択ボタン６６，７６，９４，１０３を変形例のボタン及び機能表示用画像データによって具現化する構成であってもよい。さらに、各実施形態において、画像変更選択ボタン６６，７６，９４，１０３等に加えて、これらに対応するボタン（機械式の押ボタン等）をさらに備え、これらの両方を用いて入力データを取得することが可能な構成であってもよい。
【図面の簡単な説明】
【００４３】
【図１】本発明の第一の実施形態に係る画像表示装置を示すブロック図である。
【図２】本発明の第一の実施形態に係る画像を示す図である。
【図３】本発明の第一の実施形態に係る画像表示方法を説明するフローチャートである。
【図４】本発明の第二の実施形態に係る画像表示装置を示すブロック図である。
【図５】本発明の第二の実施形態に係る画像を示す図である。
【符号の説明】
【００４４】
１      画像表示装置
１０    表示部
２１    データ取得部
２２    画像データ記憶部
２３    データ出力部
【図１】
2010061214.tif 000003
【図２】
2010061214.tif 000004
【図３】
2010061214.tif 000005
【図４】
2010061214.tif 000006
【図５】
2010061214.tif 000007